(57)【要約】【課題】  互いに合わせる必要のある部品を正確に合わせることができる、プリント回路板のデバイス内への挿入を案内する部材を提供する。【解決手段】  プリント回路板１０に取り付けられ、プリント回路板１０の一端に面板１１が設けられ、他端にコネクター１２が突き出している。プリント回路板１０のコネクター１２に隣接してそれぞれガイドピンベース２０が設けられ、ガイドピンベース２０には基板２１があり、基板２１の一面にはガイドレール２２が設けられている。プリント回路板１０の面板１１がデバイス３０内のレールに沿って押し込まれた場合、プリント回路板１０のガイドピンベース２０のガイドレール２２はそれぞれ正確にデバイス３０後端の別のプリント回路板３２に設けられているガイドピン３３に向かい合い、ガイドピン３３はガイドレール２２に沿ってスムーズにその中に入り込み、互いのコネクター１２、３４は正確に接続され位置決めする。【選択図】    図２
0003102191.tif 000002
【実用新案登録請求の範囲】
【請求項１】
プリント回路板のデバイス内への挿入を案内する部材であって、
プリント回路板に取り付けられ、そのプリント回路板の一端には面板が設けられ、他端には一定した間隔のあるコネクターが突き出し、
前記プリント回路板の他端両側の前記コネクターに隣接する個所にはそれぞれガイドピンベースが設けられ、そのガイドピンベースには基板があり、基板の一面には案内及び位置合わせに供されるガイドレールが設けられ、
プリント回路板の面板がデバイス内に設けられているレールに沿って押し込まれた場合、前記プリント回路板の他端両側のガイドピンベースのガイドレールはそれぞれ正確にデバイス後端の別のプリント回路板に設けられているガイドピンに向かい合い、そのガイドピンはガイドレールに沿ってスムーズにその中に入り込み、互いに設けられているコネクターは正確に接続され位置決めされることを特徴とするプリント回路板のデバイス内への挿入を案内する部材。
【請求項２】
前記ガイドピンベースは円柱形であることを特徴とする請求項１に記載のプリント回路板のデバイス内への挿入を案内する部材。
【請求項３】
前記ガイドピンベースは固定ねじを通じてそれぞれ基板及び円柱形ガイドレールの両側からプリント回路板に締め付けられていることを特徴とする請求項１に記載のプリント回路板のデバイス内への挿入を案内する部材。
【請求項４】
前記ガイドピンをスムーズかつ滑らかに円柱形ガイドレール内に案内するため、前記ガイドピンの自由端は円錐形に現され、同時に円柱形ガイドレールに長手方向に沿った縦方向溝が設けられることを特徴とする請求項１に記載のプリント回路板のデバイス内への挿入を案内する部材。
【請求項５】
デバイスは電子製品であることを特徴とする請求項１に記載のプリント回路板のデバイス内への挿入を案内する部材。
【考案の詳細な説明】
【技術分野】
【０００１】
本考案は、プリント回路板のデバイス内への挿入を案内する部材に関するものであり、特に、プリント回路板に取り付けられる部材を指し、それら部材の設置によってプリント回路板のコネクターを正確に案内し、スムーズにデバイス後端の別のプリント回路板に案内挿入することができ、それにあるコネクターのピンがプリント回路板に挿入されるときの偏りによる損傷を防ぐことができる部材に関するものである。
【背景技術】
【０００２】
人間が電気を発見してからの時間は短いが、電気に対する応用と発展の進歩の速さは他の科学を遥かに凌ぎ、現代の人々が電子時代に生きていると言っても過言でない。ところが電気の応用には必要条件があり、すなわち「電気」は回路を流れることで始めて必要な効果と機能を発揮することができ、それら回路には往々に違うユニットとデバイスが接続されている。早期の電気デバイスに設けられている各ユニット間の接続方式は導線による接続が用いられ、素子（component）と素子の間の導線はすべて手作業で溶接され、そのために密集した複雑な回路であれば、かなり多くの時間と高いコストを費やさなければならず、かつ人為的な間違いを起こしやすい。
【０００３】
近代になって各種電子工業の生産技術は迅速に進歩し、伝統的な時間を費やす導線接続作業はすでにプリント回路板（printed circuit board,略してP.C.B.と称す）に取って代わられてきている。プリント回路板は回路の占める空間を減少するだけでなく、一般手作業の溶接回路に起きる間違いを除去し、そのために元来の導線溶接を利用した方式の組立て品に取って代わり、並びに各種精巧な電子素子の使用と合わせて電子産業に幅広く応用されている。
【０００４】
プリント回路板（PCB）と言う名詞は電子産業界ではもはや知らないと言う人はなく、それは素子の回路に於けるサポーティングになるだけでなく、素子の連接体になり、それは電子回路を基板上に印刷し、その基板は薄い銅箔に覆われ、必要とする回路はそれによって構成される。通常は先にプリントインクを回路図に従って銅箔上に沈積させ、更にエッチングを経て必要としない銅を除去する。エッチング後基板に残された銅箔の導体は導線の機能に取って代わることができる。
【０００５】
また、ネットワーク装置の快速な発展と普及により、一枚ごとシステムのあるプリント回路板を垂直に枠内に挿入してケースを形成することができる。それはすなわち市場の主流製品になり、このような形式の下で、各一枚のプリント回路板は各自のシステムを運行し、指定された違う利用者に使われ、資源を共同に享受することができ、同じ客先のために奉仕する。そのケースを採用するメリットはスペースを有効に節約することができる外、多すぎる電源線、ネットワーク線、キーボード線等の絡み合いを減少することができる点である。
【０００６】
ところが、そのプリント回路板のサイズは一般に大きな面積を占めるので、ケース内に挿入された場合、支え、案内及び固定方面に於いて手薄で貧弱である。それと同時に、プリント回路板は動揺しやすく、そのためにケース後端の別のプリント回路板のコネクターの接続ピンに挿入された場合、常にプリント回路板が偏り、ぶつかって歪み、または脱落してしまうので機器が止まり、甚だしくはプリント回路板のコネクターが破損してしまう。そのために有効な支え案内方法を採用し、使用者がそのプリント回路板を交換または挿入するときにもたらす不便とトラブルを減少しなければ、使用者はそのプリント回路板の固定方式に対し不平を抱くので、それを改善する必要がある。
【考案の開示】
【考案が解決しようとする課題】
【０００７】
上記プリント回路板の占める面積が大きいので、それをケースに挿入する場合は動揺し、偏って有効に支え、案内及び固定を得ることができず、そのためにコネクターのピンがぶつかって歪み、または脱落して機器が止まり、甚だしくはプリント回路板のコネクターが破損してしまう欠点が起こる。そこで市場と使用者の実際の需要に基づき、本考案者は長期間の研究と実験を経て、終に本考案「プリント回路板のデバイス内への挿入を案内する部材」を開発設計することができた。
【０００８】
つまり本考案の目的は、二つ互いに合わせる必要のある部品を正確に合わせることを保証し、プリント回路板がデバイス内に挿入される場合に損傷を防止し、構造が簡単な利点が得られるほか、伝統的製品に発生する欠点を解決することができるプリント回路板のデバイス内への挿入を案内する部材を提供することにある。
【課題を解決するための手段】
【０００９】
本考案のプリント回路板のデバイス内への挿入を案内する部材は、二つ互いに合わせる必要のある部品を正確に合わせることを保証する。それはガイドピンベースを設計してそれぞれプリント回路板の他端の両側面に取り付け、デバイス後端の別のプリント回路板に設けられているガイドピンに合わせると、定位置作用が起こり、同時にそのプリント回路板をデバイス後端の別のプリント回路板に合わせて挿入することを効果的に達成する。さらに、そのプリント回路板をデバイス内に挿入するとき、力が大きすぎたり動揺して偏ってしまい、有効に支え、案内及び固定を得ることができないことがないようにし、コネクターが互いにぶつかって損傷する現象が起こることを防止する。さらに本考案の設計を通じて構造が簡単な利点が得られるほか、伝統的製品に発生する欠点を解決することができる。
【考案を実施するための最良の形態】
【００１０】
本考案の一実施例による「プリント回路板のデバイス内への挿入を案内する部材」は、図１に示すように、主にプリント回路板１０に取り付けられ、そのプリント回路板１０の一端には面板１１が設けられ、他端には一定した間隔のある複数個のコネクター１２が突き出している。そのコネクター１２はプリント回路板１０に設けられている各部品（図面には示されていない）またはシステム中の各接点の接続に使われる。その中、プリント回路板１０の他端両側のコネクター１２に隣接する個所にはそれぞれガイドピンベース２０が設けられ、そのガイドピンベース２０は一般にペアーになっており、本考案の実施例に於いて、そのガイドピンベース２０はそれぞれプリント回路板１０の他端両側に設けられ、かつガイドピンベース２０には基板２１があり、基板２１の一面には案内と位置合わせに使われる円柱形ガイドレール２２が設けられている。
【００１１】
本実施例に於いて、ガイドピンベース２０は固定ねじ２３を通じてそれぞれ基板２１と円柱形ガイドレール２２の両側からプリント回路板１０に締め付けられている。
図２及び図３を参照する。上記構造から分かるように、プリント回路板１０一端の面板１１がデバイス３０内に設けられているレール（図面には示されていない）に沿って押し込まれた場合、そのプリント回路板１０の他端両側のガイドピンベース２０にある円柱形ガイドレール２２は丁度それぞれ正確にデバイス３０後端の別のプリント回路板３２に設けられているガイドピン３３に向かい合い、それらガイドピン３３は円柱形ガイドレール２２に沿ってスムーズにその中に入る。それによってそのプリント回路板１０に設けられているコネクター１２の接続ピンは正確に別のプリント回路板３２に設けられている複数個の別のコネクター３４と接続し位置決めすることができる。こうすればプリント回路板１０がそのデバイス３０内に挿入される場合、大きすぎる力、動揺及び偏りによって有効な支え、案内及び固定が得られないことがないようにでき、コネクター１２と別のコネクター３４が互いにぶつかって傷つく現象を防止することができる。
【００１２】
逆に、プリント回路板１０を取り出す場合、同じくガイドピン３３と円柱形ガイドレール２２の案内作用によって動揺、偏りのない状態に於いてそのプリント回路板１０を別のプリント回路板３２から引き出し、デバイス３０内のレールに沿ってスムーズにプリント回路板１０を取り出す。
【００１３】
本実施例に於いて、上記デバイス３０はサーバ、ネットワーク交換機等の電子製品でもよい。
本実施例に於いて、ガイドピン３３をスムーズかつ滑らかに円柱形ガイドレール２２内に案内するため、それらガイドピン３３の自由端が円錐体３３１に現れるようにし（図３に示す如く）、同時に円柱形ガイドレール２２に長手方向に沿った縦方向溝２２１を設けてもよいが、本考案が実際に実施される場合はそれに制限されず、その他の断面形状に設計してもよい。
【００１４】
本考案の最大の特色は二つ互いに合わせる必要のある部品を正確に合わすことを保証することである。そのため、ガイドピンベース２０をそれぞれプリント回路板１０の他端の両側に取り付けるように設計し、デバイス３０後端の別のプリント回路板３２に設けられているガイドピン３３に合わせ、それによって定位置作用が起こり、同時にそのプリント回路板１０をデバイス３０後端の別のプリント回路板３２に合わせて挿入することを効果的に達成する。更にそのプリント回路板１０をデバイス３０内に挿入するとき、力が大きすぎたり動揺して偏ってしまい、有効に支え、案内及び固定を得ることができいことがないようにし、コネクター１２と別のコネクター３４が互いぶつかって損傷する現象が起こることを防止する。さらに、構造が簡単な利点が得られるほか、伝統的製品に発生する欠点を解決することができ、実に人間性に合った設計と言える。
【図面の簡単な説明】
【００１５】
【図１】本考案の一実施例による部材をプリント回路板に取り付けた状態を示す模式図である。
【図２】本考案の一実施例による部材を使用した状態を示す模式図である。
【図３】本考案の一実施例によるプリント回路板を挿入した後の状態を示す拡大図である。
【符号の説明】
【００１６】
１０  プリント回路板、１１  面板、１２  コネクター、２０  ガイドピンベース、２１  基板、２２  ガイドレール、２３  固定ねじ、３０  デバイス、３２  別のプリント回路板、３３  ガイドピン、３４  別のコネクター、２２１  縦方向溝、３３１  円錐体
【図１】
0003102191.tif 000003
【図２】
0003102191.tif 000004
【図３】
0003102191.tif 000005